(57)【特許請求の範囲】
【請求項１】
モーターを備えた回転駆動部を内装した把手と、
把手の先部に該把手と一体に連結した長尺の保護パイプ体と、
複数のパイプ体が同心円状に配置された多重筒体構造であって、伸長時により外方側のパイプ体のテーパー状先部に、より内方側のパイプ体のテーパー状基部が密嵌して一体に連結される形状の伸縮可能であって、基部が回転駆動部と連結して回転し、且つ、伸長時に各パイプ体の先部側が保護パイプ体から突出する回転パイプ体と、
前記保護パイプ体の内方に設けられ且つ可撓性と強靭性を兼ね備えた細棒状体であって、伸長時に最先となる最先回転パイプ体に出没自在に内挿されると共に、該最先回転パイプ体先端から突出させた際に最先回転パイプ体と一体に回転するように設けた箒体と、
を備えた掃除具において、
伸長時における最先回転パイプ体若しくは次先回転パイプ体の先端に、開拡可能とした開口端部をさらに設け、且つ、前記開口端部が掃除具の傾斜時に箒体全体の自由突出を阻止する保持体をさらに設けてなり、
保持体を、適宜な弾性を備えた材質で筒状に形成すると共に、開口端部を、複数の縦割り溝を設けて開口方向に弾性開口する保持腕部と、保持腕部先端内方に設けた周面部で形成してなることを特徴とする掃除具。
【請求項２】
保持体の内周面に、内方側の部材のテーパー基部と密嵌する内径の密嵌連結部を備えてなる請求項１に記載の掃除具。
【請求項３】
保持体を、最先回転パイプ体又は次先回転パイプ体の先端に装着し、回転パイプ体全体を短縮して保護パイプ体に収納した際に保護パイプ体の先端より外方に突出するように設けてなる請求項１又は２に記載の掃除具。
【請求項４】
モーターを備えた回転駆動部を内装した把手と、
把手の先部に該把手と一体に連結した長尺の保護パイプ体と、
複数のパイプ体が同心円状に配置された多重筒体構造であって、伸長時により外方側のパイプ体のテーパー状先部に、より内方側のパイプ体のテーパー状基部が密嵌して一体に連結される形状の伸縮可能であって、基部が回転駆動部と連結して回転し、且つ、伸長時に各パイプ体の先部側が保護パイプ体から突出する回転パイプ体と、
前記保護パイプ体の内方に設けられ且つ可撓性と強靭性を兼ね備えた細棒状体であって、伸長時に最先となる最先回転パイプ体に出没自在に内挿されると共に、該最先回転パイプ体先端から突出させた際に最先回転パイプ体と一体に回転するように設けた箒体と、
を備えた掃除具において、
伸長時における最先回転パイプ体若しくは次先回転パイプ体の先端に、開拡可能とした開口端部をさらに設け、且つ、前記開口端部が掃除具の傾斜時に箒体全体の自由突出を阻止する保持体をさらに設けてなり、
保持体を、適宜な伸縮性を備えたゴム質材で筒状に形成すると共に、先端部分に拡径可能とした開口保持部を設け、最先回転パイプ体の先端に装着してなることを特徴とする掃除具。
【請求項５】
保持体の装着個所に、内方側の部材のテーパー基部と密嵌する内径の密嵌連結孔を備え、且つ着脱自在とした密嵌合連結部材を、予め設けてなる請求項４に記載の掃除具。
【請求項６】
モーターを備えた回転駆動部を内装した把手と、
把手の先部に該把手と一体に連結した長尺の保護パイプ体と、
複数のパイプ体が同心円状に配置された多重筒体構造であって、伸長時により外方側のパイプ体のテーパー状先部に、より内方側のパイプ体のテーパー状基部が密嵌して一体に連結される形状の伸縮可能であって、基部が回転駆動部と連結して回転し、且つ、伸長時に各パイプ体の先部側が保護パイプ体から突出する回転パイプ体と、
前記保護パイプ体の内方に設けられ且つ可撓性と強靭性を兼ね備えた細棒状体であって、伸長時に最先となる最先回転パイプ体に出没自在に内挿されると共に、該最先回転パイプ体先端から突出させた際に最先回転パイプ体と一体に回転するように設けた箒体と、
を備えた掃除具において、
伸長時における最先回転パイプ体若しくは次先回転パイプ体の先端に、開拡可能とした開口端部をさらに設け、且つ、前記開口端部が掃除具の傾斜時に箒体全体の自由突出を阻止する保持体をさらに設けてなり、
保護パイプ体の先端に、保持体及び該保持体に保持された箒体の先部を覆うキャップを装着してなることを特徴とする掃除具。
【請求項７】
モーターを備えた回転駆動部を内装した把手と、
把手の先部に該把手と一体に連結した長尺の保護パイプ体と、
複数のパイプ体が同心円状に配置された多重筒体構造であって、伸長時により外方側のパイプ体のテーパー状先部に、より内方側のパイプ体のテーパー状基部が密嵌して一体に連結される形状の伸縮可能であって、基部が回転駆動部と連結して回転し、且つ、伸長時に各パイプ体の先部側が保護パイプ体から突出する回転パイプ体と、
前記保護パイプ体の内方に設けられ且つ可撓性と強靭性を兼ね備えた細棒状体であって、伸長時に最先となる最先回転パイプ体に出没自在に内挿されると共に、該最先回転パイプ体先端から突出させた際に最先回転パイプ体と一体に回転するように設けた箒体と、
を備えた掃除具において、
伸長時における最先回転パイプ体若しくは次先回転パイプ体の先端に、開拡可能とした開口端部をさらに設け、且つ、前記開口端部が掃除具の傾斜時に箒体全体の自由突出を阻止する保持体をさらに設けてなり、
箒体に外挿密着して装着する装着パイプ部又はテーパー状の最先パイプ体に外挿密着して装着する装着パイプ部と、前記装着パイプ部の外周に設けた埃の取り除き機能を備えたハタキ拭浄部とで構成されるハタキ体を、外方に突出させた箒体又は最先パイプに装着してなることを特徴とする掃除具。
【請求項８】
ハタキ拭浄部は柔軟扁平体で形成されることを特徴とした請求項７に記載の掃除具。
【請求項９】
柔軟扁平体の側縁部には複数のスリットが互いに離間して形成されることを特徴とした請求項８に記載の掃除具。
【請求項１０】
モーターを備えた回転駆動部を内装した把手と、
把手の先部に該把手と一体に連結した長尺の保護パイプ体と、
複数のパイプ体が同心円状に配置された多重筒体構造であって、伸長時により外方側のパイプ体のテーパー状先部に、より内方側のパイプ体のテーパー状基部が密嵌して一体に連結される形状の伸縮可能であって、基部が回転駆動部と連結して回転し、且つ、伸長時に各パイプ体の先部側が保護パイプ体から突出する回転パイプ体と、
前記保護パイプ体の内方に設けられ且つ可撓性と強靭性を兼ね備えた細棒状体であって、伸長時に最先となる最先回転パイプ体に出没自在に内挿されると共に、該最先回転パイプ体先端から突出させた際に最先回転パイプ体と一体に回転するように設けた箒体と、
を備えた掃除具において、
伸長時における最先回転パイプ体若しくは次先回転パイプ体の先端に、開拡可能とした開口端部をさらに設け、且つ、前記開口端部が掃除具の傾斜時に箒体全体の自由突出を阻止する保持体をさらに設けてなり、
箒体の断面が、円の外周側端部を少なくとも１つ除去した形状、長方形、正方形、五角形、三角形、又は、円の外周側に少なくとも１つの突起が設けられた形状であることを特徴とする掃除具。
【発明の詳細な説明】
【技術分野】
【０００１】
本発明は、主として天井の蜘蛛の巣払い、壁や天井の煤払い、家具の隙間並びに排水管内等の狭い箇所の清掃に使用する掃除具に関するものである。
【背景技術】
【０００２】
先端部分が回転して蜘蛛の巣を巻き取る構成の清掃器具は、特許文献３及び特許文献４に開示されている。前記の公知の蜘蛛の巣取り用の清掃具は、天井などの高所に対して使用するものであるから当然その全長は相応に長くなければならないことは当然である。ところでこのように長い器具は、収納運搬等に不都合であるが、前記した従前の器具は、単に先端の短い箒棒（各柱体、巻き取り棒）の着脱を行う程度である。そこで本出願人は、先に特許文献１及び特許文献２に開示されている掃除具を提案した。
【０００３】
特許文献１及び２に開示されている掃除具は、モーター内装の把手の先部に保護パイプ体を設け、保護パイプ体内にモーターと連結した伸縮可能な多重筒体の回転パイプ体を収納し、回転パイプ体の先端に可撓性と強靭性を兼ね備えた細棒状の箒体を連結する構成である。
【先行技術文献】
【特許文献】
【０００４】
【特許文献１】特許４１４２７７３号公報
【特許文献２】特許４１７０４７７号公報
【特許文献３】実開昭６０−１０３４７０号公報
【特許文献４】登録実用新案第３０１３８３６号公報
【発明の概要】
【発明が解決しようとする課題】
【０００５】
ところで、特許文献１及び２で開示されている箒体は、回転パイプ体に収納して、引出状態で基部が回転パイプ体に密嵌して抜けない構造を採用している。この構造を採用した場合には、箒体を引出状態とするには掃除具（以下、「器具」とも呼ぶ。）を下方に向け、箒体の自重で回転パイプ体から突出するようにしている。
【０００６】
しかし箒体の基部が回転パイプ体の先部内に嵌合する位置まで箒体の出没は自由であるために、器具を傾けた瞬間に箒体の殆どの部分が突出することになる。このため箒体の先端が好ましくない箇所に突き刺さる場合もあり危険である。
【０００７】
更に箒体がその使用によって損傷し取り換えが必要となった場合、前記の構造では多重筒体構造の全体を取り外す必要があり、取り換え作業が煩瑣である。
【０００８】
また前記特許文献１，２には、箒体の別例として芯棒体に布帛等を植え付けた埃の取り除き機能を備えさせることが提案されており、その構成は箒体を基部箒体と先部箒体に二分し、基部箒体に先部箒体を装着する構造が採用されている。しかし箒体は撓んだ状態で回転するので基部箒体と先部箒体の連結箇所が外れ易くなり、また堅牢な連結構造を採用すると、構造の複雑化と撓性減少を招いてしまう。
【０００９】
そこで発明は、取扱い容易で操作性に優れ、且つ箒体の取り換えも容易とした掃除具の改良を提案したものである。
【課題を解決するための手段】
【００１０】
本発明の請求項１に記載の掃除具は、
モーターを備えた回転駆動部を内装した把手と、
把手の先部に該把手と一体に連結した長尺の保護パイプ体と、
複数のパイプ体が同心円状に配置された多重筒体構造であって、伸長時により外方側のパイプ体のテーパー状先部に、より内方側のパイプ体のテーパー状基部が密嵌して一体に連結される形状の伸縮可能であって、基部が回転駆動部と連結して回転し、且つ、伸長時に各パイプ体の先部側が保護パイプ体から突出する回転パイプ体と、
前記保護パイプ体の内方に設けられ且つ可撓性と強靭性を兼ね備えた細棒状体であって、伸長時に最先となる最先回転パイプ体に出没自在に内挿されると共に、該最先回転パイプ体先端から突出させた際に最先回転パイプ体と一体に回転するように設けた箒体と、
を備えた掃除具において、
伸長時における最先回転パイプ体若しくは次先回転パイプ体の先端に、開拡可能とした開口端部をさらに設け、且つ、前記開口端部が掃除具の傾斜時に箒体全体の自由突出を阻止する保持体をさらに設けてなり、
保持体を、適宜な弾性を備えた材質で筒状に形成すると共に、開口端部を、複数の縦割り溝を設けて開口方向に弾性開口する保持腕部と、保持腕部先端内方に設けた周面部で形成してなることを特徴とするものである。
【００１１】
而して清掃使用時には、保護パイプ体から回転パイプ体及び箒体を引き出し、回転パイプ体の先端の箒体を壁面や天井面に添わせることや、狭い曲がりくねった箇所にも差し入れ、回転駆動部の動作により、回転パイプ体を介して箒体を回転させることで蜘蛛の巣取り等の清掃を行うものであり、また不使用時には、回転パイプ体を短縮し、箒体も回転パイプ体内に収納するものである。
【００１２】
特に本発明は、収納状態の器具を先端側に傾けた場合に、箒体が保持体の開口端部から滑り出るように自由落下運動で突出するが、保持体の窄んだ状態の開口端部に箒体の一部が接触係止すると、その抵抗により自然突出が停止する。そこで箒体を外部の力（例えば、人力）で引き出すと、前記の接触抵抗（挟圧による接触抵抗も含む）に抗して箒体が引き出され、更に連続して回転パイプ体全体を伸長して、回転パイプ体及び箒体全体を一体化して清掃に使用する。
【００１３】
また本発明の別の態様による掃除具は、前記の保持体を、回転パイプ体のいずれかのパイプ体の先端に着脱自在に設けてなると共に、保持体を装着した回転パイプ体と、当該回転パイプ体の先方部となる内方側の回転パイプ体又は内方側となる箒体との回転伝達の連結を、保持体と保持体内方側の先方部材とのテーパー状密嵌又は挟圧保持で連結してなるものである。
【００１４】
従って保持体を装着した回転パイプ体と、当該回転パイプ体の内方部材（最先パイプ体又は箒体）との回転伝達の連結は、保持体とのテーパー状密嵌連結又は保持体による挟圧保持連結でなされているので、保持体を取り外すと、保持体の内方部材は、他のテーパー状密嵌構造の回転伝達連結構造と異なり、そのまま先方に引き抜くことが可能となり、それに伴って箒体の取り換えを容易に行うことができる。
【００１５】
また本発明の請求項１に記載の掃除具は、上述のとおり、保持体を、適宜な弾性を備えた材質で筒状に形成すると共に、開口端部を、複数の縦割り溝を設けて開口方向に弾性開口する保持腕部と、保持腕部先端内方に設けた挟圧周面部で形成してなるもので、器具傾斜による箒体の自由落下途中で挟圧周面部との接触抵抗で箒体の突出が停止する。そしてそのまま箒体を引き出すことで、箒体の回転パイプ体との連結固定がなされる。
【００１６】
また発明の請求項２に記載の掃除具は、前記の保持体において、特に保持体の内周面に、内方側の部材のテーパー基部と密嵌する内径の密嵌連結部を備えてなるものであり、内方部材と保持体との回転伝達連結を、テーパー状密嵌連結で行うことで、回転伝達を確実なものとしている。
【００１７】
また本発明の請求項３に記載の掃除具は、保持体を最先回転パイプ体又は次先回転パイプ体の先端に装着し、回転パイプ体全体を短縮して保護パイプ体に収納した際に保護パイプ体の先端より外方に突出するように設けてなり、保護体がストッパーとして働き、回転パイプ体が保護パイプ体に全没する事か無いので、保護パイプ体から回転パイプ体を引き出すことが容易である。
【００１８】
また本発明の請求項４に記載の掃除具は、保持体を、適宜な伸縮性を備えたゴム質材で筒状に形成すると共に、先端部分に拡径可能とした開口保持部（開口端部）を設けてなるもので、テーパー棒状の箒体は開口保持部により全体の自由突出が阻止され、箒体の引き抜きによって前記開口保持部を開拡して引き出し、当該保持体で箒体又は最先パイプ体を保持して回転伝達の連結をなすものである。また保持体を最先パイプ体又は次先パイプ体から外すことによって、箒体を最先パイプ体から分離できる。
【００１９】
また本発明の請求項５に記載の掃除具は、前記のゴム質筒状の保持体の装着個所に、予め密嵌連結部材を設けてなるもので、前記密嵌連結部材は、特に内方側の部材のテーパー基部と密嵌する内径の密嵌連結孔を備え、且つ着脱自在としたものである。従って前記のゴム質筒状の保持体を採用すると共に密嵌連結部材を組み込むことで、回転伝達連結を、保持体の開口端部の挟圧保持に代えて、密嵌連結部材の密嵌連結孔を使用したテーパー状密嵌連結で行うものである。
【００２０】
また本発明の請求項６に記載の掃除具は、保護パイプ体の先端に、保持体及び該保持体に保持された箒体の先部を覆うキャップを装着してなるもので、器具使用時にキャップを外して箒体及び回転パイプ体を引き出し、器具携帯時はキャップを装着し、携帯時の器具の下向き傾斜による箒体の不測の突出を阻止し、箒体の安全な携帯を実現する。
【００２１】
本発明の請求項７に記載の掃除具は、箒体に外挿密着して装着する装着パイプ部又はテーパー状の最先パイプ体に外挿密着して装着する装着パイプ部と、前記装着パイプ部の外周に設けた埃の取り除き機能を備えたハタキ拭浄部とで構成されるハタキ体を、外方に突出させた箒体又は最先パイプに装着してなるもので、蜘蛛の巣取りの他、拭浄作業にも使用できるものである。
【００２２】
また、本発明の請求項８に記載の掃除具は、ハタキ拭浄部は柔軟扁平体で形成されることを特徴とする。請求項９に記載の掃除具は、柔軟扁平体の側縁部には複数のスリットが互いに離間して形成されることを特徴とするものである。
【００２３】
また、本発明の請求項１０に記載の掃除具は、箒体の断面が、円の外周側端部を少なくとも１つ除去した形状、長方形、正方形、五角形、三角形、又は、円の外周側に少なくとも１つの突起が設けられた形状であることを特徴とするものである。
【発明の効果】
【００２４】
本発明の構成は前記のとおりであり、繰り出し方式（伸縮多重筒体構造）の蜘蛛の巣取りの掃除具において、箒体の回転パイプ体収納を行い、不使用時のコンパクト化を実現すると共に、箒体の不測の突出を阻止する保持体を採用することで、器具の安全性を高めたものである。
【図面の簡単な説明】
【００２５】
【図１】本発明の第一実施形態に係る掃除具全体を示した図（携帯時）である。
【図２】第一実施形態に係る掃除具の先端部分を説明した図である（不使用状態）。
【図３】第一実施形態に係る掃除具の正面図である（使用時状態）。
【図４】第一実施形態に係る保持体の説明図で、（ａ）はその端面図、（ｂ）は斜視図、（ｃ）は使用状態を示した斜視図である。
【図５】第一実施形態に係る保持体の動作説明のための断面図で、（ａ）は回転パイプ体３１の収納時、（ｂ）は回転パイプ体３１の使用時を示す。
【図６】第一実施形態に係るハタキ体を説明した図である。
【図７】第一実施形態に係るハタキ体の使用状態を説明した図である。
【図８】本発明の第二実施形態に係る掃除具の正面図である（使用時状態）。
【図９】第二実施形態に係る掃除具の先端部分を説明した図である（不使用状態）。
【図１０】第二実施形態に係る保持体の動作説明のための断面図で、（ａ）は箒体の収納された状態、（ｂ）は器具（掃除具）を傾斜した際の状態、（ｃ）は箒体を引き出した後の挟圧保持状態を示す。
【図１１】第三実施形態に係る保持体に密嵌連結部材を採用した際の説明図である。
【図１２】第三実施形態に係る保持体の動作説明のための断面図で、（ａ）は箒体の収納された状態、（ｂ）は器具（掃除具）を傾斜した際の状態、（ｃ）は箒体を引き出した後の挟圧保持状態を示す。
【図１３】箒体の断面形状に係る変形例を説明した図である。
【発明を実施するための形態】
【実施例１】
【００２６】
次に本発明の実施形態について説明する。図１乃至図７に示した第一実施形態の掃除具は、把手１と、保護パイプ体２と、回転パイプ体３と、保持体４と、箒体５と、を備えたものである。この掃除具にはハタキ体６がさらに設けられることが好ましい。
【００２７】
把手１は、電源（電池）及びモーターを備えた回転駆動部（図示せず）を内装したものである。
【００２８】
保護パイプ体２は、把手１の先部に、把手と一体に連結した長尺パイプ体（５０〜７０ｃｍ程度）で、基部に堅牢性を補完する外套管２１を備え、先端にキャップ２２を装着する螺合部２３を設けたものである。特にキャップ２２は、後述する保持体４を覆う適宜な帽子長（被覆空間）を備えたものである。
【００２９】
回転パイプ体３は、例えば４本のパイプ体を含んだ多重筒体構造で、細径順に最先パイプ体３１、次先パイプ体３２、継ぎパイプ体３３、基部パイプ体（図示せず）からなり、各パイプ体３１，３２，３３は、夫々、先細のテーパー状であり、より内方側パイプ体（例えば、符号３１）がより外方側のパイプ体（例えば、符号３２）に差し入れられている。ここで、テーパー状とは、パイプ体の端部の一方（先部）の径が、他方（基部）の径よりも小さく、先部に向かって該パイプ体の径が徐々に先細りした形状を意味する。なお、回転パイプ体３を構成するパイプ体の本数は、本実施形態の４本に限らず、使い勝手や被清掃対象の用途に応じてその数を増減させてもよい。
【００３０】
特に次先パイプ体３２の先部には保持体４を螺合装着し、保護パイプ体２の先端から突出状態とし、次先パイプ体３２と継ぎパイプ体３３と基部パイプ体は、より内方側のパイプ体（例えば、符号３２）を引き出すと、より外方側のパイプ体（例えば、符号３３）のテーパー状先部に該内方側パイプ体（例えば、符号３２）のテーパー状基部が密嵌して一体に連結される伸縮可能な多重筒体構造とし、図示しないが、基部パイプ体の基部を、把手１の回転駆動部と連結してなるものである。
【００３１】
また回転パイプ体３の多重筒体構造は、各構成パイプが自由に出没できるものではなく、抜き差しに際しての適宜な摺動抵抗を備え、外部の力が加わった際に出没動作するものである。
【００３２】
特に最先パイプ体３１は、箒体５を内挿してなるもので、保持体４を取り外した次先パイプ体３２に先部から挿入可能としたもので、その基部は保持体４で挟圧保持される外径とするものである。
【００３３】
保持体４は、次先パイプ体３２の先端に螺合装着して着脱自在としたもので、適宜な弾性を備えた材質（樹脂材や薄鋼板）で筒状に形成した本体４１の開口端部に、複数の縦割り溝４２を設けて開口方向に弾性開口する保持腕部４３を形成し、且つ前記保持腕部４３の先端内方に挟圧周面部４４を設けたもので、前記挟圧周面部４４の開口内径及び弾性開口内径は後述する操作性に対応して定められるものである。また、図５（ａ）に示すように、保持体４の螺合内周面４５より先方適宜位置に、最先パイプ体３１との密嵌連結部４６を形成してなる。
【００３４】
箒体５は、グラスファイバーや、カーボン繊維、竹等の材料を使用して、釣り竿の先端側竿杆のような充分な可撓性と強靭性を兼ね備えた細棒体で、最先パイプ体の基部開口箇所から差し入れて収納され、最先パイプ体３１の先端から露出させ、その基部は、前記密嵌連結部４６の内周面に密嵌して一体化するようにしたものである。この箒体５をくねらせながら回転させることにより、天井や壁面上の蜘蛛の巣を効率的に箒体５に巻取り・採集することが可能となる。
【００３５】
ハタキ体６は、図６の（ａ）〜（ｃ）に示すように、筒状の装着パイプ部６１と、ハタキ拭浄部６２で構成される。ここで、装着パイプ部６１は、テーパー状の最先パイプ体３１に外挿密着して装着する形状に形成したものである。一方、ハタキ拭浄部６２は、図６（ａ）に示すような布帛体６２ａ、図６（ｂ）に示すような繊維体６２ｂ、図６（ｃ）に示すような柔軟性のある扁平体（例えば、扁平状の不織布や紙であり、以下、「柔軟扁平体」とも呼ぶ。）６２ｃ等の埃の取り除き機能を備えた材質のものを装着パイプ部６１に接着・植毛等の適宜な手段で取り付けてなるものである。箒体５や最先パイプ体３１に取り付けられた装着パイプ部６１を回転させることにより、天井や壁面上にこびりついた煤や塵を、そのハタキ拭浄部６２（６２ａ〜６２ｃ）にて効率的に拭き取ることが可能となる。
【００３６】
（ハタキ拭浄部と被清掃対象の被清掃面との摩擦力）
なお、ハタキ拭浄部６２に布帛体６２ａや繊維体６２ｂを使用する場合は、被清掃対象の被清掃面との接触面積が大きいため単位時間当たりの拭き取り能力が高い。しかしながら、両者間の摩擦力も相応に増加してしまうため、この摩擦力により、高速回転するハタキ体６を含んだ掃除具が被清掃面に沿って力強く引っ張られしまい、操作者がこの掃除具を手で保持し続けることが困難になる場合もあるので注意を要する。
【００３７】
一方、ハタキ拭浄部６２に柔軟扁平体６２ｃを採用した場合には、柔軟扁平体６２ｃが被清掃対象の被清掃面と接触しても、しなやかに変形するため、両者間の摩擦力が増加し過ぎず、ハタキ体６を回転させても、掃除具全体が被清掃面にそれ程力強く引っ張られることは無いため、操作者はこの保持具を手で容易に保持し続けることができる。
【００３８】
前記作用効果を得るためには、特に、柔軟扁平体６２の長手方向中央に装着パイプ部６１が延びるように接続され、一対の側縁部６３，６３が装着パイプ部６１の両側に配置された構成が好ましい。加えて、柔軟扁平体６２ｃが少なくとも一方の側縁部６３にはスリット（切込み）６４が設けられていることがさらに好ましい。これにより、柔軟扁平体６２ｃの回転時に、各スリット６４が局所的に振動（揺動）しながら変形するため、柔軟扁平体６２ｃと被清掃面との摩擦力を低下しつつ煤等の拭き取り能力を飛躍的に向上することができるようになる。
【００３９】
而して前記の実施形態に示した清掃具は、保護パイプ体２内に回転パイプ体３が多重筒状態で収納され、更に箒体５が最先パイプ体３１内に納められ、保持体４が次先パイプ体３２に装着され保護パイプ体２の先端から露出しているが、キャップ２２を装着することで引き出しできない状態として、収納や携帯するものである。
【００４０】
本器具の使用に際しては、キャップ２２を取り外し、器具を下方に傾けると、箒体５の先部が自由落下で突出する。但しその突出は、箒体５が自由落下途中で保持体４の挟圧周面部４４との接触抵抗で停止する。そこでそのまま手で箒体５を引き出すことで、箒体５に伴って最先パイプ体３１が引き出され、最先パイプ体３１の基部が保持体４の密嵌連結部４６と嵌合連結し、更に保持体４により次先パイプ体３２及びその他のパイプ体を引き出す。
【００４１】
引き出された回転パイプ体３及び箒体５は伸長状態で一体に連結され、回転駆動部の作動によって回転パイプ体３及び箒体５が回転し、清掃に使用されることになる。勿論清掃作業は、箒体５を壁面や天井面に添わせることや、狭い曲がりくねった箇所にも差し入れ、回転駆動部の動作で、回転パイプ体３を介して箒体５を回転させることで蜘蛛の巣取り等の清掃を行うものである。
【００４２】
また図６に示すようにハタキ体６を最先パイプ体３１に外挿すると、箒体５を収納した状態や、箒体５を突出固定した状態で、箒体５による清掃の他に、ハタキ拭浄部６２による埃取りも可能となる（図７参照）。
【００４３】
また箒体５が損傷した場合には、保持体４の螺合装着を外すと、箒体５ａと共に最先パイプ体３１を次先パイプ体３２より引き抜く事ができるので、箒体５ａのみを最先パイプ体３１の基方へ引き抜いて新品に取り替え、次先パイプ体３２に装着することで再度使用に供することができる。
【００４４】
図８乃至図１０は、第二実施形態を示したもので、基本構成は第一実施形態と同様に把手１と、保護パイプ体２と、回転パイプ体３ａと、保持体４ａと、箒体５ａと、必要に応じてハタキ体６とを備えたものである。
【実施例２】
【００４５】
特に第二実施形態の保持体４ａは、適宜な伸縮性を備えたゴム質材で筒状に形成して、最先パイプ体３１ａの先端に弾性装着したもので、図１０の（ａ）〜（ｃ）に示すように、特に先端部分に伸長して拡径可能とし、且つ箒体５ａを挟圧保持可能とした開口保持部（開口端部）４７を備えたものである。
【００４６】
また最先パイプ体３１ａは前記した第一実施形態と相違して、テーパー状の根元部分が次先パイプ体３２ａの先端内方テーパー部分と密嵌して連結されるようにしたものである。
【００４７】
箒体５ａは、テーパー形状で先部側と基部側では外径が相違するようにしもので、先部側は前記開口保持部４７より細径で、基部側を開口保持部４７より太径としたものであり、且つ全体が最先パイプ体３１ａに収納される形状としたものである。
【００４８】
而して第一実施形態と同様に、保護パイプ体２内に回転パイプ体３が多重筒状態で収納され、更に箒体５ａが最先パイプ体３１ａ内に納められるとともに、キャップ２２を装着することで引き出しできない状態として、収納や携帯するものである（図１０（ａ））。
【００４９】
本器具の使用に際しては、キャップ２２を取り外し、器具を下方に傾けると、箒体５ａの先部が自由落下で突出する。但しその突出は、箒体５ａが自由落下途中で保持体４ａの開口保持部４７を自由に通過できる外径位置までであり、当該位置で開口保持部４７によって停止する（図１０（ｂ）参照）。そこでそのまま更に手で箒体５ａを引き出すことで、箒体５ａによって開口保持部４７が拡径し、箒体５ａの基部が前記開口保持部４７によって挟圧部保持されることになる（図１０（ｃ）参照）。
【００５０】
従って引き出された回転パイプ体３ａ及び箒体５ａは伸長状態で一体に連結され、回転駆動部の作動によって回転パイプ体３ａ及び箒体５ａが回転し、清掃に使用されることになる。
【００５１】
また箒体５ａが損傷した場合には、保持体４ａを最先パイプ体３１ａから取り外すと、最先パイプ体３１ａ内に収納された箒体５ａは、最先パイプ体３１ａより先方に引き抜く事ができるので、箒体５ａのみの取り換え（交換）が容易になされる。
【実施例３】
【００５２】
また図１１，１２は第三実施形態の保持体４ａを示す。この保持体４ａ密嵌連結部材４８を使用したもので、密嵌連結部材４８は、筒状体で、最先パイプ体３１ａの先端部分に螺合装着する螺子部４８１と、端部に内方部材となる箒体５ａのテーパー基部と密嵌する内径の密嵌連結孔４８２を設けたものである。
【００５３】
前記密嵌連結部材４８は、保持体４ａを装着する最先パイプ体３１ａに螺合装着し、その外周に保持体４ａを装着（ゴム質体による弾性装着）するもので、前記した第二実施形態と同様に、使用に際して器具を下方に傾けると、箒体５ａの先部が自由落下で突出するが、その突出は、保持体４ａの開口保持部４７を自由に通過できる外径位置までで、当該位置で開口保持部（開口端部）４７によって停止する（図１２（ｂ）参照）。
【００５４】
更に手で箒体５ａを引き出すとで、箒体５ａによって開口保持部４７が拡径すると共に、箒体５ａの基部が、密嵌連結部材４８の密嵌連結孔４８２とテーパー状密嵌連結がなされ（図１２（ｃ）参照）、確実な回転伝達連結となるものである。
【００５５】
勿論保持体４ａ及び密嵌連結体４８を最先パイプ体３１ａから取り外すと、最先パイプ体３１ａ内に収納された箒体５ａは、最先パイプ体３１ａより先方に引き抜く事ができ交換可能となる。
【実施例４】
【００５６】
図１３に箒体５の変形例を示す。上述した実施例では、箒体５の断面５０は通常の円形５０ａを想定していたが、必ずしもこれに限定されない。例えば、図１３（ｂ）〜（ｈ）に示すような種々の断面形状５０ｂ〜５０ｈを採用することができる。ここで、図１３（ｂ）は、円形断面の箒体５から上下の外周側端部５１を長手方向に沿って除去したものである。図１３（ｃ）〜（ｆ）は、夫々、長方形５０ｃ、正方形５０ｄ、五角形５０ｅ、三角形５０ｆを成す断面を有した箒体５を示す。また、図１３（ｇ）、（ｆ）は、円の外側に少なくとも１つ（図示では複数）の突起５２，５３が設けられた断面５０ｇ，５０ｈを有した箒体５を示す。図１３（ｇ）では矩形断面の一対の突起５２が互いに対向する外周位置に設けられている。図１３（ｈ）では三角形断面の二対の突起５３が互いに対向する外周位置に設けられている。
【００５７】
前記独創的な断面形状５０ｂ〜５０ｈを採用することにより、以下の利点が得られる。すなわち、通常の円形５０ａの断面を有した箒体５を使用した場合、蜘蛛の巣が円形の外周面に密接しながらぐるぐると巻き付いてしまうため、使用後、採集された蜘蛛の巣の塊を箒体５から除去することが非常に困難となる。これに対し、独創的な断面形状５０ｂ〜５０ｈを有した箒体５を使用した場合は、蜘蛛の巣が、箒体５の外周面の少なくとも一部には接触せずに空気を含みながら採集されるため、採集された蜘蛛の巣の塊は、箒体５から比較的容易に除去することができるようになる。
【符号の説明】
【００５８】
１      把手
２      保護パイプ体
２１    外套管
２２    キャップ
２３    螺合部
３，３ａ      回転パイプ体
３１，３１ａ    最先パイプ体
３２，３２ａ    次先パイプ体
３３    継ぎパイプ体
３４    基部パイプ体
４，４ａ      保持体
４１    本体
４２    縦割り溝
４３    保持腕部
４４    挟圧周面部
４５    螺合内周面
４６    密嵌連結部
４７    開口保持部（開口端部）
４８    密嵌連結部材
４８１    螺子部
４８２    密嵌連結孔
５，５ａ      箒体
５０，５０ａ，５０ｂ，５０ｃ，５０ｄ，５０ｅ，５０ｆ，５０ｇ，５０ｈ    箒体の断面
５１    円形断面の外周側端部
５２，５３    円形断面外側の突起
６      ハタキ体
６１    装着パイプ部
６２    ハタキ拭浄部
６２ａ    布帛体
６２ｂ    繊維体
６２ｃ    柔軟扁平体
６３    ハタキ拭浄部（柔軟扁平体）の側縁部
６４    スリット（切込み）
【要約】  回転駆動部を内装した把手（１）の先部に長尺の保護パイプ体（２）を設け、伸縮可能な多重筒体構造の回転パイプ体を保護パイプ体（２）の内方に設け、可撓性と強靭性を兼ね備えた細棒状の箒体（５）を、回転パイプ体の先端から突出させる繰り出し方式の蜘蛛の巣取りの掃除具において、収納時のコンパクト化、箒体（５）の不測の突出を阻止、並びに箒体（５）の取り換えの容易化を実現する掃除具を提供する。  箒体（５）を、最先パイプ体（３１）に出没自在に内挿し、回転パイプ体全体を短縮して保護パイプ体（２）に収納した際に突出する次先パイプ体（３２）の先端に開拡可能とした開口端部を備え、開口端部が掃除具の傾斜時に箒体（５）全体の自由突出を阻止すると共に、開口端部で内方側部材の挟圧保持する保持体（４）を着脱自在に設けてなる。【図１】
0006562392.tif 000002
【図２】
0006562392.tif 000003
【図３】
0006562392.tif 000004
【図４】
0006562392.tif 000005
【図５】
0006562392.tif 000006
【図６】
0006562392.tif 000007
【図７】
0006562392.tif 000008
【図８】
0006562392.tif 000009
【図９】
0006562392.tif 000010
【図１０】
0006562392.tif 000011
【図１１】
0006562392.tif 000012
【図１２】
0006562392.tif 000013
【図１３】
0006562392.tif 000014